(57)【要約】【課題】  不透明容器内の中味残量を正確に判断することができ、さらに不透明容器内に充填した中味の劣化を防ぐことができる残量視認窓付き不透明容器を提供する。【解決手段】  遮光性を有する不透明容器１０において、この不透明容器１０の側壁１３に、中味残量を判断するための透明体からなる残量視認窓１４を形成し、この残量視認窓１４を完全に被覆することができる遮光性のあるレーベル片１５を、この残量視認窓１４の外側に剥離自在に取り付けたことを特徴とする。【選択図】  図１
2005119691.tif 000002
【特許請求の範囲】
【請求項１】
遮光性を有する不透明容器において、この不透明容器の側壁に、中味残量を判断するための透明体からなる残量視認窓を形成し、この残量視認窓を完全に被覆することができる遮光性のあるレーベル片を、この残量視認窓の外側に剥離自在に取り付けたことを特徴とする残量視認窓付き不透明容器。
【請求項２】
前記レーベル片の裏面に粘着剤を備え、この粘着剤でレーベル片を前記残量視認窓の外側に剥離自在に取り付けたことを特徴とする請求項１記載の残量視認窓付き不透明容器。
【請求項３】
遮光性を有する不透明容器において、この不透明容器の側壁に、中味残量を判断するための透明体からなる残量視認窓を形成し、さらに不透明容器の側壁外周にフィルム状の巻き体を回転自在に配設し、この巻き体の一部に、前記残量視認窓を完全に被覆することができる遮光性のある印刷部を形成したことを特徴とする残量視認窓付き不透明容器。
【請求項４】
遮光性を有する不透明容器において、この不透明容器の側壁に、中味残量を判断するための透明体からなる残量視認窓を形成し、さらに不透明容器の側壁外周に熱収縮性のシュリンクフィルムを配設し、このシュリンクフィルムの一部に、前記残量視認窓を完全に被覆することができる遮光性のある印刷部を形成したことを特徴とする残量視認窓付き不透明容器。
【発明の詳細な説明】
【技術分野】
【０００１】
本発明は、不透明容器に関し、さらに詳しくは使用者が不透明容器内の中味残量を容易に正確に判断できる残量視認窓付き不透明容器に関する。
【背景技術】
【０００２】
従来より、紫外線などの光（以下、「紫外線」を代表例として説明する）によって劣化する性質の中味を充填するための容器として、中味に対する遮光性を確保した不透明容器が使用されている。
容器に遮光性を付与する手段としては、紫外線吸収剤を、樹脂やガラスなどの容器本体材料に混入したり、容器本体を塗装する塗料に混入したり、あるいは着色光反射材顔料を容器本体材料に混入したり、あるいは遮光性を確保した塗装を容器本体に施すなどの手段が講じられ、これにより、容器本体を不透明容器に形成していた。
【０００３】
一方、不透明容器内に充填された中味は、外部から見通せない状態になるため、容器本体内の中味残量が判断できなくなるという不都合が起きていた。
すなわち、不透明容器内の中味残量を正確に判断できないため、タイミングよく、新たな中味を注ぎ足したり、不透明容器全体を買い換えたりすることが難しくなっていた。
【０００４】
この不具合を解消するために、不透明容器の側壁に中味残量を判断するための透明窓を形成したものも知られている（例えば、特許文献１）。
【特許文献１】実開昭５９−１１２７４１号公報（第３〜４頁の記載、及び第１図）
【０００５】
特許文献１の容器は、不透明容器の側壁に透明窓を形成することで、不透明容器内の中味を透明窓から常時視認できるようにした。
これにより、不透明容器内の中味残量を常に判断できるようになり、タイミングよく、新たな中味を注ぎ足したり、不透明容器全体を買い換えたりすることができるようになった。
【発明の開示】
【発明が解決しようとする課題】
【０００６】
しかしながら、特許文献１の不透明容器は、側壁の一部に形成した透明窓から紫外線などが容器内に常時侵入することになり、不透明容器内の中味を短期間で劣化させるという問題を引き起こしていた。
特に、工場内で不透明容器に中味を充填して、販売店まで輸送する期間や、販売のため店頭に陳列する期間（すなわち、製品の使用開始の前段階）中に、不透明容器内の中味が紫外線で劣化してしまうという問題が引き起こされていた。
【０００７】
この発明は、不透明容器内の中味残量を容易かつ正確に判断できるものでありながら、不透明容器内に充填した中味の紫外線による劣化を防止できる残量視認窓付き不透明容器を提供するものである。
【課題を解決するための手段】
【０００８】
上記目的を達成するために、請求項１記載の発明は、遮光性を有する不透明容器において、この不透明容器の側壁に、中味残量を判断するための透明体からなる残量視認窓を形成し、この残量視認窓を完全に被覆することができる遮光性のあるレーベル片を、この残量視認窓の外側に剥離自在に取り付けたことを特徴とする。
【０００９】
本発明に係る不透明容器によれば、通常時には遮光性のあるレーベル片で残量視認窓を被覆しているので、紫外線などが不透明容器内に侵入することを防ぐことができる。
そして、不透明容器内に充填した中味残量を判断する場合には、遮光性のあるレーベル片の一部又は全部を残量視認窓から剥がし、視認可能となった残量視認窓から肉眼により中味残量を判断することになる。
【００１０】
請求項２は、前記レーベル片の裏面に粘着剤を備え、この粘着剤でレーベル片を前記残量視認窓の外側に剥離自在に取り付けたことを特徴とする。
【００１１】
このため、通常時にはレーベル片を残量視認窓に接着させておくことで、紫外線などが不透明容器内に侵入することを防ぎ、不透明容器内に充填した中味残量を判断する場合には、そのレーベル片の一部又は全部を残量視認窓から剥がして、視認可能となった残量視認窓から肉眼により中味残量を判断することとなる。
さらに、遮光性のあるレーベル片の裏面に粘着剤を備えるという簡単な構成を採用している。
【００１２】
請求項３は、遮光性を有する不透明容器において、この不透明容器の側壁に、中味残量を判断するための透明体からなる残量視認窓を形成し、さらに不透明容器の側壁外周にフィルム状の巻き体を回転自在に配設し、この巻き体の一部に、前記残量視認窓を完全に被覆することができる遮光性のある印刷部を形成したことを特徴とする。
【００１３】
このため、通常時には遮光性のある印刷部が残量視認窓を覆う位置に来るように、巻き体の配設位置を調節しておくことで、紫外線などが不透明容器内に侵入することを防ぎ、不透明容器内の中味残量を判断する場合には、巻き体を回転させて遮光性のある印刷部を残量視認窓を覆う位置からずらして、残量視認窓から中味残量を判断できる。
さらに、遮光性のある印刷部を巻き体の一部に形成したので、遮光性のある印刷部を簡単に得ることができる。
【００１４】
請求項４は、遮光性を有する不透明容器において、この不透明容器の側壁に、中味残量を判断するための透明体からなる残量視認窓を形成し、さらに不透明容器の側壁外周に熱収縮性のシュリンクフィルムを配設し、このシュリンクフィルムの一部に、前記残量視認窓を完全に被覆することができる遮光性のある印刷部を形成したことを特徴とする。
【００１５】
このようにすることにより、工場内で不透明容器に中味を充填した後、不透明容器をシュリンクフィルムでカバーして、残量視認窓を遮光性のある印刷部で完全に被覆した状態で、不透明容器を工場から販売店まで輸送し、ついで店頭に陳列する際に、製品出荷から店頭への陳列まで間の比較的長い期間に、不透明容器内の中味を紫外線などから保護できるようにした。
【００１６】
そして、不透明容器から中味を取り出す際には、不透明容器からシュリンクフィルムを剥がすので、不透明容器に形成した残量視認窓が露出することになり、製品の使用開始後は不透明容器内の中味残量は常に残量視認窓から判断できるようになる。
【発明の効果】
【００１７】
以上述べたように、請求項１による残量視認窓付き不透明容器によれば、製品の使用開始前は、遮光性のあるレーベル片で不透明容器の残量視認窓を完全に被覆して、紫外線などが不透明容器内に侵入することを防ぎ、不透明容器内の中味が紫外線で劣化することを防止できる効果がある。
【００１８】
そして、製品の使用開始後、不透明容器内に充填した中味残量を判断する場合には、遮光性のあるレーベル片の一部又は全部を残量視認窓から剥がして、視認できるようになった残量視認窓から、肉眼により中味残量を容易かつ正確に判断できる効果がある。
【００１９】
請求項２による残量視認窓付き不透明容器によれば、製品の使用開始前は、遮光性のあるレーベル片で不透明容器の残量視認窓を完全に被覆して、紫外線などが不透明容器内に侵入することを防ぎ、不透明容器内の中味が紫外線で劣化することを防止できる効果がある。
【００２０】
そして、製品の使用開始後、不透明容器内に充填した中味残量を判断する場合には、遮光性のあるレーベル片の一部又は全部を残量視認窓から剥がして、視認できるようになった残量視認窓から、肉眼により中味残量を容易かつ正確に判断できる効果がある。
さらに、遮光性のあるレーベル片の裏面に粘着剤を備えるという簡単な構成であるから、レーベル片の製造コストを抑さえることができる効果もある。
【００２１】
請求項３による残量視認窓付き不透明容器によれば、製品の使用開始前は、遮光性のある印刷部で不透明容器の残量視認窓を完全に被覆して、紫外線などが不透明容器内に侵入することを防ぎ、不透明容器内の中味が紫外線で劣化することを防止できる効果がある。
【００２２】
そして、製品の使用開始後、不透明容器内に充填した中味残量を判断する場合には、巻き体を回転させて、遮光性のある印刷部の一部又は全部を残量視認窓からずらすことで、視認できるようになった残量視認窓から、肉眼により中味残量を容易かつ正確に判断できる効果がある。
さらに、遮光性のある印刷部を巻き体の一部に形成したので、レーベル片を簡単な構成として、遮光性のある印刷部の製造コストを抑さえることができるという効果もある。
【００２３】
請求項４による残量視認窓付き不透明容器によれば、製品の使用開始前は、遮光性のある印刷部で不透明容器の残量視認窓を完全に被覆して、紫外線などが不透明容器内に侵入することを防ぎ、不透明容器内の中味が紫外線で劣化することを防止できる効果がある。
【００２４】
このようにすることにより、工場内で不透明容器に中味を充填した後、不透明容器をシュリンクフィルムでカバーして、残量視認窓を遮光性のある印刷部で完全に被覆した状態で、不透明容器を工場から販売店まで輸送し、ついで店頭に陳列する際に、製品出荷から店頭への陳列まで間の比較的長い期間に、不透明容器内の中味を紫外線などから保護できる効果がある。
【００２５】
そして、不透明容器から中味を取り出す際には、不透明容器からシュリンクフィルムを剥がすので、不透明容器に形成した残量視認窓が露出することになるから、製品の使用開始後は不透明容器内の中味残量は、残量視認窓から容易かつ正確に判断できる効果がある。
また、遮光性のある印刷部をシュリンクフィルムの一部に設けたので、遮光性のある印刷部を簡単な構成として、全体の製造コストを抑さえることができるという効果もある。
【発明を実施するための最良の形態】
【００２６】
以下添付図面に基づいて、本発明に係る残量視認窓付き不透明容器の一実施の形態を詳説する。
図１は本発明に係る第１実施の形態の残量視認窓付き不透明容器にレーベル片を粘着する前の状態を示す斜視図、図２は本発明に係る第１実施の形態の残量視認窓付き不透明容器にレーベル片を粘着した状態を示す斜視図、図３は本発明に係る第１実施の形態のレーベル片を示す背面図、図４は図３のＡ−Ａ線断面図、図５は本発明に係る第１実施の形態のレーベル片と不透明容器との関係を示す説明図、図６は本発明に係る第１実施の形態の残量視認窓付き不透明容器からレーベル片の一部を剥がした状態を示す斜視図である。
【００２７】
図１〜図２に示した、第１実施の形態の残量視認窓付き不透明容器１０は、紫外線などの光によって劣化する性質を持つ中味１１を充填するためのもので、容器本体１２を遮光性を有する不透明な材料で形成し、容器本体１２の側壁１３の一部に、中味１１の残量を判断するための透明体からなる残量視認窓１４を形成してあり、この残量視認窓１４を完全に被覆することができ、かつ必要に応じて残量視認窓１４から剥がすことも可能となる遮光性のあるレーベル片１５を取り付けている。
【００２８】
この容器本体１２は、その側壁１３を、一例として円筒状に形成しており、その上端１２ａには中味１１を取り出すための取出口が設けられ、側壁１３の上端１２ａから下端１２ｂに至る上下方向に延びる細幅状の残量視認窓１４が、側壁１３に形成されている。
【００２９】
このように残量視認窓１４を細幅状に形成することで、残量視認窓１４の面積を可能な限り小さく抑さえ、紫外線などが不透明容器１０内に侵入し難くなるようにしている。
さらに、残量視認窓１４を容器本体１２の上端１２ａから下端１２ｂまで延ばすことで、不透明容器１０内の中味１１の残量を目視しやすくしている。
【００３０】
容器本体１２の取出口にはキャップ１８が着脱自在に取り付けられ、このキャップ１８も、容器本体１２と同様に、遮光性を有する不透明体で形成される。
【００３１】
レーベル片１５は、全長（上端から下端までの長さ）Ｌ１を、残量視認窓１４の上端１４ａから下端１４ｂまでの長さＬ２より僅かに長くなるように形成するとともに、全幅Ｗ１を、残量視認窓１４の幅Ｗ２より僅かに広く形成してあり、レーベル片１５の上端１５ａには突片１６（すなわち、つまみ代）を形成してある。
【００３２】
このレーベル片１５は、一例としてＰＥＴ製で４０μｍの厚さに形成し、図３〜図４に示すように、その裏面１５ｂに、例えばアクリル系粘着剤１９を備え、この粘着剤１９でレーベル片１５を残量視認窓１４に剥離可能に接着している。
これにより、レーベル片１５にて残量視認窓１４を剥離自在に覆うことができるようになる。
【００３３】
なお、レーベル片１５は、ＰＥＴ４０μｍにアルミニウムを蒸着させ、蒸着させたアルミニウムにアクリル系粘着剤１９を備えたものにすることもできる。
ＰＥＴ４０μｍにアルミニウムを蒸着することで、光の遮断効果をあげることができるという利点がある。
【００３４】
ここで、図５に示すように、レーベル片１５の全長Ｌ１を容器本体１２の高さＨと同じ寸法にすることで、つまみ代となる突片１６を容器本体１２の上端部１２ａの上方に、突片の突出長さＬ３に相当する分だけ突出させることができる。
これにより、使用者は突片１６をつまんで、図６に示すようにレーベル片１５を残量視認窓１４から簡単に剥がすことができる。
【００３５】
このため、製品の使用開始前には、図２に示すようにレーベル片１５が残量視認窓１４を完全に被覆しており、この状態では紫外線などが不透明容器１０内に侵入することがなく、不透明容器１０内の中味１１が紫外線で劣化することを防止できる。
そして、製品の使用開始後、不透明容器１０内に充填した中味１１の残量を判断する場合には、図６に示すように、レーベル片１５を残量視認窓１４から剥がして、視認できるようになった残量視認窓１４から肉眼により中味１１の残量を容易かつ正確に判断できる。
【００３６】
さらに、図３〜図４に示すように遮光性のあるレーベル片１５の裏面１５ｂにアクリル系粘着剤１９を備えるだけの簡単な構成とすれば、レーベル片１５を簡単な構成として、レーベル片１５の製造コストを抑さえることができる。
【００３７】
第１実施の形態のレーベル片１５の変形例として、図７に示すように、レーベル片１５の裏面１５ｂの全体（突片１６を含む）にアクリル系粘着剤１９を塗布しておくことで、容器本体１２の側壁１３に突片１６に至るまで全体を接着させることも可能である。
【００３８】
また、第１実施の形態のレーベル片１５のその他の変形例として、図８に示すように、製品の特徴を使用者に伝えるためのキャッチコピー２１をレーベル片１５の表面１５ｃに表示することも可能である。
さらに、レーベル片１５をキャップ１８位置まで延ばすことで、レーベル片１５をバージンシール（未開封であることを示すシール）として兼用することも可能である。
【発明を実施するための異なる形態】
【００３９】
次に、第２〜第３実施の形態について、図９〜図１４に基づいて説明する。
なお、第２〜第３実施の形態において第１実施の形態と同一部材については同一符号を付して説明を省略する。
【００４０】
第２実施の形態
図９〜図１０に示す第２実施の形態の残量視認窓付き不透明容器３０は、遮光性のある印刷部を、容器本体１２の側壁１３の外周に回転自在に配設した巻き体３１の一部に形成したもので、その他の構成は第１実施の形態の残量視認窓付き不透明容器１０と同じである。
【００４１】
図１０に示す巻き体３１は、ＰＥＴ製の素材で肉厚６０μｍの透明なフィルム３２を形成したもので、このフィルム３２の周壁３３の裏面には不透明容器３０の残量視認窓１４より一回り大きな遮光部としての印刷部３５を印刷したものである。
【００４２】
このため、図９に示すように、巻き体３１を矢印の方向に容器本体１２に沿って回転させると、図１１に示すように、印刷部３５を、残量視認窓１４を覆う位置に配置したり、残量視認窓１４からずらした位置に配置したりできる。
【００４３】
これにより、図９に示すように、使用開始前あるいは不使用時には、印刷部３５を残量視認窓１４を覆う位置に形成することで、紫外線などが不透明容器３０内に侵入することを防ぐことができる。
一方、不透明容器３０内に充填した中味１１の残量を判断する場合には、巻き体３１を回転させて、図１１に示すように、印刷部３５を残量視認窓１４からずらすことにより、中味残量を簡単に判断できるようになる。
【００４４】
さらに、第２実施の形態の残量視認窓付き不透明容器３０によれば、遮光性のある印刷部３５を巻き体３１の一部に設けたので、巻き体３１を簡単な構成として、巻き体３１の製造コストを抑さえることができる。
【００４５】
第３実施の形態
図１２〜図１４に示す第３実施の形態の残量視認窓付き不透明容器４０は、容器本体１２の側壁１３の一部に、中味残量を判断する透明な残量視認窓１４を形成し、この残量視認窓１４を覆う遮光性のある印刷部４２を熱収縮性のシュリンクフィルム４１に形成したもので、その他の構成は第１及び第２実施の形態の残量視認窓付き不透明容器１０、３０と同じである。
シュリンクフィルム４１は、工場から出荷する際に、不透明容器４０を保護する目的でカバーするように取り付けるものである。
【００４６】
このシュリンクフィルム４１で不透明容器４０をカバーする際には、まずシュリンクフィルム４１を筒状に巻き（図１３参照）、この筒状のシュリンクフィルム４１を容器本体１２（図１４参照）に嵌め込む。
【００４７】
次に、シュリンクフィルム４１を加熱して熱収縮させることにより、容器本体１２の側壁１３にシュリンクフィルム４１を密着させる（図１２参照）。
このように、容器本体１２をシュリンクフィルム４１でカバーすることで、残量視認窓１４を印刷部４２で覆って、不透明容器４０の包装を完成させる。
【００４８】
この状態で、不透明容器４０を工場から販売店まで輸送し、ついで店頭に陳列するので、出荷してから店頭に陳列するまでの間の比較的長い期間において、不透明容器４０内の中味１１を紫外線などから保護して、不透明容器４０内の中味１１が劣化することを防ぐ。
【００４９】
このシュリンクフィルム４１は、通常、不透明容器４０から中味１１を取り出す際に、不透明容器４０から除去するものである。よって、不透明容器４０を使用する際には、残量視認窓１４は露出される。
これにより、不透明容器４０内の中味１１の残量を残量視認窓１４から簡単に判断することができるようになる。
【００５０】
なお、シュリンクフィルム４１を不透明容器４０から除去する時期は、不透明容器４０の使用開始時が一般的であるが、不透明容器４０の使用途中にシュリンクフィルム４１を除去しても、同様に中味１１の残量を判断できる。
【００５１】
第３実施の形態の残量視認窓付き不透明容器４０は、シュリンクフィルム４１を不透明容器４０から除去した後の使用期間中は、残量視認窓１４は露出されたままの状態になる。
しかしながら、残量視認窓付き不透明容器４０の使用期間は、不透明容器４０の出荷から購入されるまでの期間と比較するとかなり短いし、残量視認窓１４は幅を狭くして最小限の面積で形成されているので、中身に対してある程度の遮光性を維持することができ、不透明容器４０内の中味１１の劣化を抑えることは十分可能である。
【００５２】
また、遮光性のある印刷部４２を、従来から使用されているシュリンクフィルム４１の表面の一部に形成しているので、印刷部４２を簡単な構成にでき、印刷部４２の製造コストを抑さえることができる。
【００５３】
なお、前記第２実施の形態では、巻き体３１のフィルム３２の大部分を透明体とし、印刷部３５の部分を遮光部とした例について説明したが、これに限られることなく、巻き体３１のフィルム３２をの大部分を遮光部とし、一部を透明体としても（先の例とは、透明体と遮光部との配置が入れ替わった状態）、先の例と同様の使用性と、効果を得ることができる。
【００５４】
また、本発明の残量視認窓付き不透明容器は、第１〜第３実施の形態の円筒状の容器本体１２に限られることはなく、基本的に遮光の必要な中味を入れるためのどの様な形状の容器にも適用可能である。
【産業上の利用可能性】
【００５５】
本発明は、紫外線などにより劣化しやすい製品を充填する容器を製造する産業で利用することができ、特に化粧品産業においてその利用価値は高い。
【図面の簡単な説明】
【００５６】
【図１】本発明に係る第１実施の形態の残量視認窓付き不透明容器にレーベル片を粘着する前の状態を示す斜視図である。
【図２】本発明に係る第１実施の形態の残量視認窓付き不透明容器にレーベル片を粘着した状態を示す斜視図である。
【図３】本発明に係る第１実施の形態のレーベル片を示す背面図である。
【図４】図３のＡ−Ａ線断面図である。
【図５】本発明に係る第１実施の形態のレーベル片と不透明容器との関係を示す説明図である。
【図６】本発明に係る第１実施の形態の残量視認窓付き不透明容器からレーベル片の一部を剥がした状態を示す斜視図である。
【図７】本発明に係る第１実施の形態の、変形例を示す背面図である。
【図８】本発明に係る第１実施の形態の、その他の変形例を示す正面図である。
【図９】本発明に係る第２実施の形態の残量視認窓付き不透明容器を示す斜視図である。
【図１０】本発明に係る第２実施の形態の巻き体を示す斜視図である。
【図１１】本発明に係る第２実施の形態の残量視認窓付き不透明容器の印刷部を残量視認窓位置からずらした状態を示す斜視図である。
【図１２】本発明に係る第３実施の形態の残量視認窓付き不透明容器を示す斜視図である。
【図１３】本発明に係る第３実施の形態のシュリンクフィルムを示す斜視図である。
【図１４】本発明に係る第３実施の形態の残量視認窓付き不透明容器の容器本体を示す斜視図である。
【符号の説明】
【００５７】
１０，３０，４０…残量視認窓付き不透明容器
１１…中味
１２…容器本体
１３…容器本体の側壁
１４…残量視認窓
１５…レーベル片
１５ｂ…レーベル片の裏面
１５ｃ…レーベル片の表面
１６…突片
１８…キャップ
１９…粘着剤
２１…キャッチコピー
３１…巻き体
３２…フィルム
３３…フィルムの周壁
３５，４２…遮光性のある印刷部
４１…シュリンクフィルム
Ｌ１…レーベル片の全長
Ｌ２…残量視認窓の上端から下端までの長さ
Ｌ３…突片の突出長さ
Ｗ１…レーベル片の全幅
Ｗ２…残量視認窓の幅
Ｈ…容器本体の高さ
【図１】
2005119691.tif 000003
【図２】
2005119691.tif 000004
【図３】
2005119691.tif 000005
【図４】
2005119691.tif 000006
【図５】
2005119691.tif 000007
【図６】
2005119691.tif 000008
【図７】
2005119691.tif 000009
【図８】
2005119691.tif 000010
【図９】
2005119691.tif 000011
【図１０】
2005119691.tif 000012
【図１１】
2005119691.tif 000013
【図１２】
2005119691.tif 000014
【図１３】
2005119691.tif 000015
【図１４】
2005119691.tif 000016